【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
放電容器、
放電容器中に伸延する電極、及び
放電容器内に密封された放電を支持する充填物
を含んでなるランプであって、
前記充填物が、
水銀、
不活性ガス、並びに
０．１２〜０．５μｍｏｌ／ｃｍ3のハロゲン化セシウム、
合計０．１〜１．６μｍｏｌ／ｃｍ3のハロゲン化インジウム及びハロゲン化タリウムの少なくとも１種、及び、
合計０．３〜１．５μｍｏｌ／ｃｍ3のハロゲン化ジスプロシウム、ハロゲン化ホルミウム、ハロゲン化ネオジム及びハロゲン化ツリウムの少なくとも１種を含む希土類ハロゲン化物成分、及び
０．３０〜２．０μｍｏｌ／ｃｍ3のハロゲン化ガドリニウム
を含んでなるハロゲン化物成分
合計で０．２μｍｏｌ／ｃｍ3未満の、セシウム、ガドリニウム、タリウム、インジウム、ジスプロシウム、ホルミウム、ツリウム、水銀、及びネオジム以外のハロゲン化物
を含んでなり、
ジャケットなしで少なくとも２ワット／ｍｍ2のアークウォールローディングで作動中ランプが７０００Ｋ〜１４０００Ｋの色温度及び少なくとも７０の演色評価指数（Ｒａ）を有する、前記ランプ。
【請求項２】
放電容器がジャケットをもたない、請求項１記載のランプ。
【請求項３】
放電容器、
放電容器中に伸延する電極、及び
放電容器内に密封された放電を支持する充填物
を含んでなるランプであって、
前記充填物が、
水銀、
不活性ガス、並びに
ハロゲン化セシウム、
ハロゲン化インジウム及びハロゲン化タリウムの少なくとも１種、及び、
ハロゲン化ジスプロシウム、ハロゲン化ホルミウム、ハロゲン化ネオジム及びハロゲン化ツリウムの少なくとも１種を含む希土類ハロゲン化物成分、及び、
ハロゲン化ガドリニウム
を含んでなるハロゲン化物成分
を含んでなり、
ジャケットなしで少なくとも２ワット／ｍｍ2のアークウォールローディングで作動中ランプが７０００Ｋ〜１４０００Ｋの色温度及び少なくとも７０の演色評価指数（Ｒａ）を有し、
ハロゲン化物成分がガドリニウムを含んでおり、次式を満足する、前記ランプ。
【数１】
2010509733.tif 000001
式中、Ｇｄ＝充填物中のハロゲン化ガドリニウムのモル数、
Ｙ＝Ｉｎ＋Ｔｌ、ここで、Ｉｎ＝充填物中のハロゲン化インジウムのモル数、Ｔｌ＝充填物中のハロゲン化タリウムのモル数、
ＰＡＲＣはアークウォールローディング（Ｗ／ｍｍ2）であり、
Σ＝充填物中の金属ハロゲン化物の総モル数、
Ｒ≧０．１ｍｍ2／Ｗ。
【請求項４】
以下の（ａ）〜（ｃ）の少なくとも１つを満たす、請求項３記載のランプ。
（ａ）Ｇｄ≧２Ｙ、Ｉｎ＞Ｔｌ、Ｒ＝０．１、
（ｂ）Ｇｄ≦１．８Ｙ、Ｉｎ＞Ｔｌ、Ｒ＝０．１５、
（ｃ）Ｇｄ≦２Ｙ、Ｉｎ＜Ｔｌ、Ｒ＝０．１５。
【請求項５】
Ｇｄ＝０及びＴｌ＝０の少なくとも１つを満たす、請求項４記載のランプ。
【請求項６】
ＰＡＲＣ≧３Ｗ／ｍｍ2である、請求項３記載のランプ。
【請求項７】
Ｒ≧０．１３ｍｍ2／Ｗである、請求項３記載のランプ。
【請求項８】
希土類ハロゲン化物成分がガドリニウム、ジスプロシウム及びネオジムの少なくとも１種を含む、請求項１乃至７のいずれかに記載のランプ。
【請求項９】
希土類ハロゲン化物成分がガドリニウム、ジスプロシウム、及びネオジムを含む、請求項８記載のランプ。
【請求項１０】
放電容器、
放電容器中に伸延する電極、及び
放電容器内に密封された放電を支持する充填物
を含んでなるランプであって、
前記充填物が、
水銀、
不活性ガス、並びに
ハロゲン化セシウム、
ハロゲン化インジウム及びハロゲン化タリウムの少なくとも１種、及び、ハロゲン化ジスプロシウム、ハロゲン化ホルミウム、ハロゲン化ネオジム及びハロゲン化ツリウムの少なくとも１種を含む希土類ハロゲン化物成分、及び
場合により、ハロゲン化ガドリニウム
を含んでなるハロゲン化物成分
を含んでなり、
前記充填物が、ジスプロシウム、セシウム、ガドリニウム、タリウム、インジウム、及びネオジムのハロゲン化物以外のハロゲン化物を１０モルパーセント未満含み、
ジャケットなしで少なくとも２ワット／ｍｍ2のアークウォールローディングで作動中ランプが７０００Ｋ〜１４０００Ｋの色温度及び少なくとも７０の演色評価指数（Ｒａ）を有する、前記ランプ。
【請求項１１】
作動中色温度が少なくとも７５００Ｋである、請求項１乃至１０のいずれか１項に記載のランプ。
【請求項１２】
作動中色温度が少なくとも９０００Ｋである、請求項１乃至１０のいずれか１項に記載のランプ。
【請求項１３】
充填物が実質的にタリウムを含まない、請求項１乃至１２のいずれか１項に記載のランプ。
【請求項１４】
放電容器、
放電容器中に伸延する電極、及び
放電容器内に密封された放電を支持する充填物
を含んでなるランプであって、
前記充填物が、
水銀、
不活性ガス、並びに
ハロゲン化セシウム、
ハロゲン化インジウム及びハロゲン化タリウムの少なくとも１種、及び、ハロゲン化ジスプロシウム、ハロゲン化ホルミウム、ハロゲン化ネオジム及びハロゲン化ツリウムの少なくとも１種を含む希土類ハロゲン化物成分、及び
ジャケットなしで少なくとも２ワット／ｍｍ2のアークウォールローディングで作動中ランプが７０００Ｋ〜１４０００Ｋの色温度及び少なくとも７０の演色評価指数（Ｒａ）を有し、
次式を満たすランプ。
【数２】
2010509733.tif 000002
式中、Ｒｅ＝ジスプロシウム、ネオジム、ホルミウム、及びツリウムのハロゲン化物、並びにこれらの組合せからなる群から選択される、充填物中の希土類ハロゲン化物のモル数、
Ｇｄ＝充填物中のハロゲン化ガドリニウムのモル数、
Ｉｎ＝充填物中のハロゲン化インジウムのモル数、
Ｔｌ＝充填物中のハロゲン化タリウムのモル数。
【請求項１５】
放電容器、
放電容器中に伸延する電極、及び
放電容器内に密封された放電を支持する充填物
を含んでなるランプであって、
前記充填物が、
水銀、
不活性ガス、並びに
ハロゲン化セシウム、
ハロゲン化インジウム及びハロゲン化タリウムの少なくとも１種、及び、ハロゲン化ジスプロシウム、ハロゲン化ホルミウム、ハロゲン化ネオジム及びハロゲン化ツリウムの少なくとも１種を含む希土類ハロゲン化物成分、及び
ジャケットなしで少なくとも２ワット／ｍｍ2のアークウォールローディングで作動中ランプが７０００Ｋ〜１４０００Ｋの色温度及び少なくとも７０の演色評価指数（Ｒａ）を有し、
充填物中のハロゲン化物成分が以下のモル比を満たす、ランプ。
【数３】
2010509733.tif 000003
ここで、Ｃｓ＝充填物中のハロゲン化セシウムのモル数。
【請求項１６】
充填物が、
０．１２〜０．５μｍｏｌ／ｃｍ3のハロゲン化セシウム、
０．３０〜２．０μｍｏｌ／ｃｍ3のハロゲン化ガドリニウム、
合計０．１〜１．６μｍｏｌ／ｃｍ3のハロゲン化インジウム及びハロゲン化タリウムの少なくとも１種、
合計０．３〜１．５μｍｏｌ／ｃｍ3のジスプロシウム、ネオジム、ホルミウム、及びツリウムから選択される少なくとも１種の希土類ハロゲン化物、
合計で０．２μｍｏｌ／ｃｍ3未満の、セシウム、ガドリニウム、タリウム、インジウム、ジスプロシウム、ホルミウム、ツリウム、水銀、及びネオジム以外のハロゲン化物
を含んでなる、請求項１１乃至１３、１５のいずれかに記載のランプ。
【請求項１７】
充填物が、ジスプロシウム、セシウム、ガドリニウム、タリウム、インジウム、及びネオジムのハロゲン化物以外のハロゲン化物を１０モルパーセント未満含む、請求項１乃至１６のいずれかに記載のランプ。
【請求項１８】
請求項１乃至１７のいずれかに記載のランプを作動させる方法であって、電気的出力をランプに供給して少なくとも２ワット／ｍｍ2のアークウォールローディングを提供することを含んでなり、それによりランプが７０００Ｋ〜１４０００Ｋの色温度及び少なくとも７０の演色評価指数（Ｒａ）を有する、前記方法。